(57)【特許請求の範囲】
【請求項１】
文字列で構成された複数のレコードを受け付ける受付手段と、
前記受付手段が受け付けた前記複数のレコードから文字列の文字、文字列長及び当該文字列における当該文字の文字位置が重複した文字を除いたレコードを検査用レコードとして生成する生成手段と、
印刷物の背景となる画像情報と、前記複数のレコードを前記画像情報上に重畳する画像に変換する画像効果とを有するテンプレート情報に、前記生成手段が生成した前記検査用レコードを適用して印刷画像情報を生成するよう外部装置に依頼する依頼手段とを有する可変印刷検査装置。
【請求項２】
印刷の検査の要求を受信すると、前記外部装置において生成された前記印刷画像情報を前記外部装置から受信し、当該受信した前記印刷画像情報を前記印刷の検査の要求の送信元に送信する送信手段と、
前記印刷の検査の要求の送信元から前記印刷画像情報が判別可能か否かを示す検査結果を受け付ける検査結果受付手段をさらに有する請求項１に記載の可変印刷検査装置。
【請求項３】
前記検査結果受付手段は、受け付けた前記検査結果に基づいて前記生成手段が前記検査用レコードに追加しない文字の条件を非検査条件情報として作成する請求項２に記載の可変印刷検査装置。
【請求項４】
文字列で構成された複数のレコードを受け付ける受付手段と、
前記受付手段が受け付けた前記複数のレコードから文字列の文字、文字列長及び当該文字列における当該文字の文字位置が重複した文字を除いたレコードを検査用レコードとして生成する生成手段と、
印刷物の背景となる画像情報と、前記複数のレコードを前記画像情報上に重畳する画像に変換する画像効果とを有するテンプレート情報に、前記生成手段が生成した前記検査用レコードを適用して印刷画像情報を生成する印刷画像情報生成手段とを有する可変印刷検査装置。
【請求項５】
コンピュータを、
文字列で構成された複数のレコードを受け付ける受付手段と、
前記受付手段が受け付けた前記複数のレコードから文字列の文字、文字列長及び当該文字列における当該文字の文字位置が重複した文字を除いたレコードを検査用レコードとして生成する生成手段と、
印刷物の背景となる画像情報と、前記複数のレコードを前記画像情報上に重畳する画像に変換する画像効果とを有するテンプレート情報に、前記生成手段が生成した前記検査用レコードを適用して印刷画像情報を生成するよう外部装置に依頼する依頼手段として機能させる可変印刷検査プログラム。
【発明の詳細な説明】
【技術分野】
【０００１】
本発明は、可変印刷検査装置及び可変印刷検査プログラムに関する。
【背景技術】
【０００２】
従来の可変印刷検査装置として、印刷装置で印刷に用いる画像情報を表示部に表示して検査に用いるものが提案されている（例えば、特許文献１参照）。
【０００３】
これに関連する技術として、特許文献１には、可変印刷に用いるテンプレート情報と可変印刷情報とに基づいて印刷装置で印刷に用いるために生成されるラスタデータである画像情報を記憶部に保存し、保存した画像情報を表示部に表示して検査を所望する利用者に画像情報を確認させる可変印刷検査装置が開示されている。
【先行技術文献】
【特許文献】
【０００４】
【特許文献１】特開２００６−３３８５６９号公報
【発明の概要】
【発明が解決しようとする課題】
【０００５】
本発明の目的は、可変印刷に用いるテンプレート情報と可変印刷情報とに基づいて印刷装置で生成される画像情報を表示して利用者に検査させる場合において、画像情報の検査回数を減少する可変印刷検査装置及び可変印刷検査プログラムを提供することにある。
【課題を解決するための手段】
【０００６】
本発明の一態様は、上記目的を達成するため、以下の可変印刷検査装置及び可変印刷検査プログラムを提供する。
【０００７】
［１］文字列で構成された複数のレコードを受け付ける受付手段と、
前記受付手段が受け付けた前記複数のレコードから文字列の文字、文字列長及び当該文字列における当該文字の文字位置が重複した文字を除いたレコードを検査用レコードとして生成する生成手段と、
印刷物の背景となる画像情報と、前記複数のレコードを前記画像情報上に重畳する画像に変換する画像効果とを有するテンプレート情報に、前記生成手段が生成した前記検査用レコードを適用して印刷画像情報を生成するよう外部装置に依頼する依頼手段とを有する可変印刷検査装置。
【０００８】
［２］印刷の検査の要求を受信すると、前記外部装置において生成された前記印刷画像情報を前記外部装置から受信し、当該受信した前記印刷画像情報を前記印刷の検査の要求の送信元に送信する送信手段と、
前記印刷の検査の要求の送信元から前記印刷画像情報が判別可能か否かを示す検査結果を受け付ける検査結果受付手段をさらに有する前記［１］に記載の可変印刷検査装置。
【０００９】
［３］前記検査結果受付手段は、受け付けた前記検査結果に基づいて前記生成手段が前記検査用レコードに追加しない文字の条件を非検査条件情報として作成する前記［２］に記載の可変印刷検査装置。
【００１０】
［４］文字列で構成された複数のレコードを受け付ける受付手段と、
前記受付手段が受け付けた前記複数のレコードから文字列の文字、文字列長及び当該文字列における当該文字の文字位置が重複した文字を除いたレコードを検査用レコードとして生成する生成手段と、
印刷物の背景となる画像情報と、前記複数のレコードを前記画像情報上に重畳する画像に変換する画像効果とを有するテンプレート情報に、前記生成手段が生成した前記検査用レコードを適用して印刷画像情報を生成する印刷画像情報生成手段とを有する可変印刷検査装置。
【００１１】
［５］コンピュータを、
文字列で構成された複数のレコードを受け付ける受付手段と、
前記受付手段が受け付けた前記複数のレコードから文字列の文字、文字列長及び当該文字列における当該文字の文字位置が重複した文字を除いたレコードを検査用レコードとして生成する生成手段と、
印刷物の背景となる画像情報と、前記複数のレコードを前記画像情報上に重畳する画像に変換する画像効果とを有するテンプレート情報に、前記生成手段が生成した前記検査用レコードを適用して印刷画像情報を生成するよう外部装置に依頼する依頼手段として機能させる可変印刷検査プログラム。
【発明の効果】
【００１２】
請求項１、４又は５に係る発明によれば、可変印刷に用いるテンプレート情報と可変印刷情報とに基づいて印刷装置で生成される画像情報を表示して利用者に検査させる場合において、画像情報の検査回数を減少することができる。
【００１３】
請求項２に係る発明によれば、画像情報の検査結果を受け付けることができる。
【００１４】
請求項３に係る発明によれば、受け付けた検査結果に基づいて検査しない文字の条件を非検査条件情報として作成することができる。
【図面の簡単な説明】
【００１５】
【図１】図１は、本発明の実施の形態に係る可変印刷システムの構成の一例を示す図である。
【図２】図２は、可変印刷検査サーバの構成の一例を示すブロック図である。
【図３】図３（ａ）及び（ｂ）は、可変印刷ＤＢに格納されるテンプレート情報及び可変印刷情報の内容の一例を示す概略図である。
【図４】図４（ａ）及び（ｂ）は、テンプレート情報及び可変印刷情報から生成される印刷画像の一例を示す概略図である。
【図５】図５（ａ）は、数値化後のレコード情報の一例を示す概略図であり、図５（ｂ）は、検査用レコード情報の内容の一例を示す概略図である。
【図６】図６は、非検査条件情報の内容の一例を示す概略図である。
【図７】図７は、可変印刷検査サーバの動作の一例を示すフローチャートである。
【発明を実施するための形態】
【００１６】
（可変印刷システムの構成）
図１は、本発明の実施の形態に係る可変印刷システムの構成の一例を示す図である。
【００１７】
この可変印刷システム７は、可変印刷の処理及び可変印刷物の検査を実行するためのシステムであり、可変印刷検査サーバ１と、可変印刷実行サーバ２と、可変印刷データベース（以下、「ＤＢ」という。）３と、印刷装置４と、端末５とをそれぞれネットワーク６で接続して構成される。なお、印刷装置４及び端末５は、同図では単体を示すが、複数台設けられるものであってもよい。
【００１８】
ここで、「可変印刷」とは、可変印刷ＤＢ３に格納された複数のレコードを含む可変印刷情報３１と、レコードに記載された数字、文字、記号等の複数のフィールドを用いて印刷画像情報を生成するためのフォームと呼ばれるテンプレート情報３０とに基づいて、１部毎に１レコードを適用してそれぞれ印刷内容が異なる印刷画像情報を生成し、その印刷画像情報を印刷装置において印刷することをいう。
【００１９】
特に本実施の形態において、「可変印刷」は、レコードに応じた画像を生成し、生成した画像を用いて印刷情報を生成するものであり、テンプレート情報３０は、ページ毎に、レコード中のフィールドの配置先である紙面デザインの背景を示すテンプレート画像３００、及びレコードに変形、ぼかし、拡大縮小等の画像加工エフェクトを適用してテンプレート画像３００に対しフィールドとして配置する画像効果３０１等を有する。
【００２０】
また、「検査」とは、可変印刷によって生成された印刷画像情報を表示又は印刷等により出力し、出力されたものが視認可能か又は読解可能か否かを利用者８によって、判別することをいう。なお、利用者８に代えて判別のための装置を用意してもよい。
【００２１】
可変印刷検査サーバ１は、可変印刷実行サーバ２に印刷画像情報の生成を指示し、その結果として生成された印刷画像情報を端末５の表示部５０に表示して利用者８に検査させる。
【００２２】
可変印刷実行サーバ２は、検査の処理を実行する場合、可変印刷検査サーバ１の要求に応じて可変印刷ＤＢ３のテンプレート情報３０と可変印刷情報３１とに基づいて印刷画像情報を生成する。また、可変印刷実行サーバ２は、印刷処理を実行する場合、可変印刷ＤＢ３のテンプレート情報３０と可変印刷情報３１とに基づいて印刷情報を生成し、生成した印刷情報に基づいて印刷装置４に印刷を実行させる。
【００２３】
可変印刷ＤＢ３は、端末５等からアップロードされるテンプレート情報３０及び可変印刷情報３１を格納する。
【００２４】
印刷装置４は、可変印刷実行サーバ２から受信する印刷情報に基づいて印刷を実行し、印刷物を出力する。なお、印刷装置４は、印刷機能の他、さらにスキャナ、ファクシミリ等の他の機能を有してもよく、単一のユニットのみならず、各機能に対応した複数のユニットからなるものも含まれる。
【００２５】
端末５は、ＬＣＤ（Ｌｉｑｕｉｄ Ｃｒｙｓｔａｌ Ｄｉｓｐｌａｙ）等の表示部５０と、キーボード、マウス等の操作部５１とを有し、操作部５１に対する利用者８の操作内容に応じてテンプレート情報３０及び可変印刷情報３１を作成するとともに、可変印刷ＤＢ３にテンプレート情報３０及び可変印刷情報３１を送信して登録する。また、端末５は、可変印刷検査サーバ１に可変印刷の印刷画像情報の検査を要求する。また、印刷実行時は、可変印刷実行サーバ２に可変印刷の実行を要求する。
【００２６】
ネットワーク６は、ＬＡＮ（Ｌｏｃａｌ  Ａｒｅａ  Ｎｅｔｗｏｒｋ）やインターネット等であって、有線、無線は問わない。
【００２７】
（可変印刷検査サーバの構成）
図２は、可変印刷検査サーバ１の構成の一例を示すブロック図である。
【００２８】
可変印刷検査サーバ１は、ＣＰＵ（Ｃｅｎｔｒａｌ Ｐｒｏｃｅｓｓｉｎｇ Ｕｎｉｔ）、メモリ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶装置から構成され情報を記憶する記憶部１１と、ネットワーク６を介して外部装置と通信する通信部１２とを有する。
【００２９】
制御部１０は、後述する可変印刷検査プログラム１１０を実行することで、レコード情報受付手段１００、検査用レコード情報生成手段１０１、可変印刷画像生成依頼手段１０２、可変印刷画像送信手段１０３及び検査結果受付手段１０４等として機能する。
【００３０】
レコード情報受付手段１００は、端末５の要求に基づいて、検査の対象とするレコードを可変印刷ＤＢ３の可変印刷情報３１から受け付ける。
【００３１】
検査用レコード情報生成手段１０１は、レコード情報受付手段１００が受け付けたレコードから後述する方法によって検査用レコード情報１１１を生成する。
【００３２】
可変印刷画像生成依頼手段１０２は、検査用レコード情報１１１を用いて可変印刷の印刷画像情報の生成を可変印刷実行サーバ２に依頼する。
【００３３】
可変印刷画像送信手段１０３は、可変印刷実行サーバ２によって生成された印刷画像情報を端末５に送信する。
【００３４】
検査結果受付手段１０４は、可変印刷画像送信手段１０３が端末５に送信した印刷画像情報の検査結果を端末５から受け付ける。
【００３５】
記憶部１１は、制御部１０を手段１００〜１０４として機能させる可変印刷検査プログラム１１０、検査用レコード情報生成手段１０１によって生成される検査用レコード情報１１１及び検査結果受付手段１０４によって生成される非検査条件情報１１２等を格納する。なお、検査用レコード情報１１１及び非検査条件情報１１２は、テンプレート情報３０の画像効果３０１が複数存在する場合には、複数の画像効果３０１に対応させてそれぞれ生成される。
【００３６】
図３（ａ）及び（ｂ）は、可変印刷ＤＢ３に格納されるテンプレート情報３０及び可変印刷情報３１の内容の一例を示す概略図である。
【００３７】
図３（ａ）に示すように、テンプレート情報３０のテンプレート画像３００は、印刷画像の背景となる画像であり、ＪＰＥＧ、ＴＩＦＦ又はＰＤＦ等を用いることができる。
【００３８】
図３（ｂ）に示すように、可変印刷情報３１は、複数のレコード３１１、３１２、３１３、３１４…を有する。また、レコード３１１、３１２、３１３、３１４は、それぞれ複数のフィールドを有していてもよいが、本実施の形態では説明の簡単のため単一のフィールド３１ａを有するものとする。
【００３９】
図４（ａ）及び（ｂ）は、テンプレート情報３０及び可変印刷情報３１から生成される印刷画像の一例を示す概略図である。
【００４０】
図４（ａ）に示すように、可変印刷画像２０１は、可変印刷実行サーバ２によりテンプレート画像３００と、可変印刷情報３１のレコード３１１とから生成された印刷画像情報に基づき、例えば、端末５の表示部５０に表示される画像である。可変印刷画像２０１は、レコード３１１の内容「よこはま」に基づき、花の画像を「よこはま」の文字の形に並べた画像と、その背景として表示されるテンプレート画像３００とを有している。
【００４１】
また、図４（ｂ）に示すように、可変印刷画像２０４は、可変印刷実行サーバ２によりテンプレート画像３００と、可変印刷情報３１のレコード３１４とから生成された印刷画像情報に基づき、例えば、端末５の表示部５０に表示される画像である。可変印刷画像２０４は、レコード３１４の内容「よこた」に基づき、花の画像を「よこた」の文字の形に並べた画像と、その背景として表示されるテンプレート画像３００とを有している。
【００４２】
（可変印刷システムの動作）
以下に、可変印刷システム７の動作例を各図を参照しつつ、（１）基本動作、（２）検査用レコード情報生成動作、（３）検査実行動作に分けて説明する。
【００４３】
（１）基本動作
まず、端末５を利用する利用者８は、可変印刷を行うために、端末５の操作部５１を操作してテンプレート情報３０及び可変印刷情報３１を作成する。なお、テンプレート情報３０及び可変印刷情報３１は、予め作成されたものから選択してもよい。端末５は、操作部５１の操作内容に応じてテンプレート情報３０及び可変印刷情報３１を生成する。
【００４４】
次に、端末５を利用する利用者８は、テンプレート情報３０及び可変印刷情報３１を可変印刷ＤＢ３に登録するために、端末５の操作部５１を操作する。端末５は、ネットワーク６を介してテンプレート情報３０及び可変印刷情報３１を可変印刷ＤＢ３へ送信する。
【００４５】
可変印刷ＤＢ３は、端末５からテンプレート情報３０及び可変印刷情報３１を受信し、格納する。
【００４６】
また、利用者８は、印刷に使用するテンプレート情報３０及び可変印刷情報３１を指定して印刷命令を生成するために、端末５を操作する。端末５は、操作内容に応じて、印刷命令を生成し、生成した印刷命令をネットワーク６を介して可変印刷実行サーバ２へ送信する。
【００４７】
可変印刷実行サーバ２は、端末５から印刷命令を受信し、その印刷命令が可変印刷による印刷物の配付を行うものであると判断すると、受け付けた印刷命令に指定されたテンプレート情報３０及び可変印刷情報３１を可変印刷ＤＢ３から取得する。
【００４８】
次に、利用者８は、印刷を実行するために端末５を操作する。端末５は、操作内容に応じて、印刷実行の要求を可変印刷実行サーバ２に送信する。
【００４９】
可変印刷実行サーバ２は、印刷実行の要求を受信すると、抽出したテンプレート情報３０に抽出した可変印刷情報３１を適用して印刷を実行するために、印刷実行の要求に指示された印刷装置４に抽出したテンプレート情報３０及び抽出した可変印刷情報３１を送信する。
【００５０】
印刷装置４は、可変印刷実行サーバ２から抽出したテンプレート情報３０及び抽出した可変印刷情報３１を受信し、受信した抽出したテンプレート情報３０及び抽出した可変印刷情報３１に基づいて印刷画像情報を生成して、生成した印刷画像情報に基づいて被印刷材に印刷画像を印刷し、印刷物を出力する。
【００５１】
以上に説明した（１）基本動作の印刷装置４の処理において、図４（ａ）及び（ｂ）に示すような可変印刷画像を印刷するための印刷画像情報が得られるが、例えば、レコードの文字が複雑であったり、文字数が多すぎたりすることで、レコードから生成された可変印刷画像が必ずしも識別可能であるとは限らない。そこで、本実施の形態においては、印刷装置４における印刷の実行前に、利用者８の要求に応じて以下に説明する検査を行う。
【００５２】
（２）検査用レコード情報生成動作
まず、検査に用いる検査用レコード情報の生成動作について説明する。
【００５３】
利用者８は可変印刷の検査を実行するために端末５を操作する。端末５は、検査要求を検査対象とする印刷命令とともに可変印刷検査サーバ１に送信する。
【００５４】
可変印刷検査サーバ１は、端末５から検査要求及び印刷命令を受信すると、レコード情報受付手段１００に、可変印刷ＤＢ３の可変印刷情報３１から印刷命令に指定されたレコード情報を取得する。
【００５５】
図７は、可変印刷検査サーバ１の動作の一例を示すフローチャートである。
【００５６】
まず、検査用レコード情報生成手段１０１は、レコード情報受付手段１００が取得したレコードの各文字をレコードの文字列長及び文字位置について数値化する（Ｓ１）。
【００５７】
図５（ａ）は、数値化後のレコード情報の一例を示す概略図である。
【００５８】
レコード情報３１０は、例えば、レコード３１１、３１２、３１３、３１４…を数値化したものであり、レコードのＩＤを示すレコードＩＤ欄と、レコードに含まれる文字を示す文字欄と、レコードの文字列長を示す文字列長欄と、文字位置を示す文字位置欄とを有する。
【００５９】
例えば、レコード３１１の「よこはま」の文字「よ」は、レコードＩＤ欄が「３１１」であり、文字欄が「よ」、「よこはま」が４文字であることから文字列長欄が「４」、「よこはま」のうちの１文字目であることから文字位置欄が「１」となる。
【００６０】
次に、検査用レコード情報生成手段１０１は、レコード情報３１０から１文字ずつ情報を抽出する（Ｓ２）。
【００６１】
初回は検査用レコード情報生成手段１０１が生成する検査用レコード情報１１１は情報が空であり、検査用レコード情報１１１に同一文字はないため（Ｓ３；Ｎｏ）、検査用レコード情報生成手段１０１は、検査用レコード情報１１１に抽出した文字を追加する（Ｓ５）。
【００６２】
また、初回以降（Ｓ６；Ｎｏ）であって、検査用レコード情報１１１に同一文字がある場合（Ｓ３；Ｙｅｓ）、その文字の文字列長欄及び文字位置欄を比較して同一のものがない場合（Ｓ４；Ｎｏ）は、同様に検査用レコード情報生成手段１０１は、検査用レコード情報１１１に抽出した文字を追加する（Ｓ５）。
【００６３】
また、ステップＳ４において、文字列長欄及び文字位置欄を比較して同一のものがある場合（Ｓ４；Ｙｅｓ）は、同様に検査用レコード情報生成手段１０１は、検査用レコード情報１１１に抽出した文字を追加しない。
【００６４】
すべての文字についてステップＳ２〜Ｓ５を実行し終えると（Ｓ６；Ｙｅｓ）、ステップＳ５の文字追加があった場合（Ｓ７；Ｙｅｓ）、可変印刷画像生成依頼手段１０２は、検査用レコード情報１１１に追加された文字について印刷画像情報を生成するよう可変印刷実行サーバ２に依頼する（Ｓ８）。
【００６５】
なお、ステップＳ８で生成を依頼する印刷画像情報は、追加された文字のみをテンプレート情報３０に適用して生成してもよいし、追加された文字のうち文字列長が一致して文字位置が異なるものを並べた文字列をテンプレート情報３０に適用して生成してもよいし、追加された文字が含まれる文字列単位で適用して生成してもよい。
【００６６】
また、ステップＳ５の文字追加がなかった場合（Ｓ７；Ｎｏ）、可変印刷画像生成依頼手段１０２は、印刷画像情報の生成依頼を行わない（Ｓ９）。
【００６７】
以上の動作により図５（ｂ）に示す検査用レコード情報１１１が生成される。
【００６８】
図５（ｂ）に示すように、検査用レコード情報１１１は、レコード情報３１０と同一の項目欄を有し、レコード情報３１０のレコードＩＤ「３１２」の文字位置「１」及び「２」が追加されていない。これは、レコードＩＤ「３１１」の文字位置「１」及び「２」と文字欄、文字列長欄及び文字位置欄が一致したためである。
【００６９】
（３）検査実行動作
次に、可変印刷画像生成依頼手段１０２は、検査用レコード情報生成手段１０１が生成した検査用レコード情報１１１を、（２）検査用レコード情報生成動作において検査要求とともに受信した印刷命令とともに可変印刷実行サーバ２に送信するとともに、印刷命令に指定されたテンプレート情報に検査用レコード情報１１１を適用して印刷画像情報を生成するよう要求する。
【００７０】
可変印刷実行サーバ２は、検査用レコード情報１１１及び印刷命令を受信した後、可変印刷画像生成依頼手段１０２の要求に応じて、印刷命令に指定されたテンプレート情報に検査用レコード情報１１１を適用して印刷画像情報を生成する。可変印刷実行サーバ２は、生成された印刷画像情報を再び可変印刷検査サーバ１に送信する。なお、印刷画像情報の生成は、印刷装置４で行うものであってもよい。
【００７１】
なお、可変印刷実行サーバ２がテンプレート情報及び検査用レコード情報１１１から生成する印刷画像情報は、レコード毎に生成されるものであってもよいし、文字毎に生成されるものであってもよい。
【００７２】
可変印刷検査サーバ１の可変印刷画像送信手段１０３は、可変印刷実行サーバ２から印刷画像情報を受信すると、検査要求を送信した端末５に受信した印刷画像情報を送信する。
【００７３】
端末５は、印刷画像情報を受信すると、表示部５０に印刷画像を順に表示し、例えば、利用者８の目視により判別可能か否かの検査を行う。利用者８は、判別不可能である印刷画像情報の印刷を取り止めるか、可変情報ＤＢ３の可変印刷情報３１から該当するレコードを削除する等の対応をする。
【００７４】
また、利用者８は、特にある条件において印刷画像の内容が判別不可能である場合、例えば、文字列数が８文字以上となった場合にすべての文字が判別不可能である場合等に、その旨を示すために操作部５１を操作してもよい。端末５は、操作部５１から判別不能となる条件の入力を受け付けると、判別不能となる条件を可変印刷検査サーバ１に送信する。
【００７５】
次に、検査結果受付手段１０４は、端末５から判別不能である旨を受信すると、その条件内容「文字列数」において条件値「８」を判別不可能である暫定的な閾値として非検査条件情報１１２に登録する。
【００７６】
図６は、非検査条件情報１１２の内容の一例を示す概略図である。
【００７７】
非検査条件情報１１２は、条件の内容を示す条件内容欄と、条件の内容に対する値を示す条件値欄とを有する。上述の条件は、条件内容欄に「文字列長」、条件値欄に「８以上」と記録される。
【００７８】
また、他の例として、条件内容欄が「部首」である場合に、条件値が「さかなへん」である場合、例えば、「鰻」等の文字がレコードに存在する場合に判別不可能であるとする。また、条件内容欄が「漢字画数」である場合に、条件値が「１７以上」である場合、例えば、「薇」等の文字がレコードに存在する場合に判別不可能であるとする。
【００７９】
上記した非検査条件情報１１２は、検査用レコード情報生成手段１０１が検査用レコード情報１１１を生成する際に用いられる。検査用レコード情報生成手段１０１は、例えば、図７におけるステップＳ２において抽出した文字が非検査条件情報１１２の条件内容及び条件値に該当する場合、ステップＳ３〜Ｓ５を実行せずに検査用レコード情報１１１に当該文字を追加しない。また、非検査条件情報１１２に該当して検査用レコード情報１１１に追加されなかった文字については、その旨を端末５を介して利用者８に通知する。
【００８０】
［他の実施の形態］
なお、本発明は、上記実施の形態に限定されず、本発明の趣旨を逸脱しない範囲で種々な変形が可能である。例えば、可変印刷検査サーバ１、可変印刷実行サーバ２、可変印刷ＤＢ３及び印刷装置４を、それぞれ任意に組み合わせて１つの装置を構成してもよい。
【００８１】
また、上記実施の形態で使用される可変印刷検査プログラム１１０は、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段１００〜１０４の一部または全部をＡＳＩＣ等のハードウェアによって実現してもよい。
【符号の説明】
【００８２】
１     可変印刷検査サーバ
２     可変印刷実行サーバ
３     可変印刷情報ＤＢ
４     印刷装置
５     端末
６     ネットワーク
７     可変印刷システム
８     利用者
１０   制御部
１１   記憶部
３０   テンプレート情報
３１   可変印刷情報
５０   表示部
５１   操作部
１００ レコード情報受付手段
１０１ 検査用レコード情報生成手段
１０２ 可変印刷画像生成依頼手段
１０３ 可変印刷画像送信手段
１０４ 検査結果受付手段
１１０ 可変印刷検査プログラム
１１１ 検査用レコード情報
１１２ 非検査条件情報
３００ テンプレート画像
３０１ 画像効果
３１０ レコード情報
【図１】
0005673128.tif 000002
【図２】
0005673128.tif 000003
【図３】
0005673128.tif 000004
【図４】
0005673128.tif 000005
【図５】
0005673128.tif 000006
【図６】
0005673128.tif 000007
【図７】
0005673128.tif 000008